(57)【要約】      （修正有）【課題】タッチパネルを搭載し、周囲照度に応じた輝度制御を行う表示装置において、適正な輝度制御を行うことのできる表示装置を提供する。【解決手段】表示装置は、表示部と、前記表示部の表示画面上に配置された操作部と、前記操作部への物体の接近を検出する近接検知手段と、前記表示部近傍に配置され、照射される外光の照度を検出する照度検出手段と、前記照度検出手段により検出された照度に応じて前記表示部の輝度を可変制御する輝度制御手段とを有し、前記近接検知手段により、近接物が検知されると、前記輝度制御手段の輝度制御を停止する。【選択図】図１
2017083494.tif 000002
【特許請求の範囲】
【請求項１】
表示部と、
前記表示部の表示画面上に配置された操作部と、
前記操作部への物体の接近を検出する近接検知手段と、
前記表示部近傍に配置され、照射される外光の照度を検出する照度検出手段と、
前記照度検出手段により検出された照度に応じて前記表示部の輝度を可変制御する輝度制御手段と
を有し、
前記近接検知手段により、近接物が検知されると、前記輝度制御手段の輝度制御を停止することを特徴とする表示装置。
【請求項２】
前記操作部に対する近接物の位置座標を検出する位置座標検出手段と、
前記操作部の座標範囲の一部である所定座標範囲と
をさらに有し、
前記近接検知手段により、近接物が検知され、前記位置座標検出手段で検出された座標が前記所定座標範囲内であると、前記輝度制御手段の輝度制御を停止することを特徴とする請求項１に記載の表示装置。
【請求項３】
前記近接検知手段により近接物が検知されていないときの、前記照度検出手段により検出された第１の検出照度と、
前記近接検知手段により近接物が検知されたときの、前記照度検出手段により検出された第２の検出照度と
をさらに有し、
前記近接検知手段により、近接物が検知され、前記第２の検出照度が前記第１の検出照度より低いと、前記輝度制御手段の輝度制御を停止することを特徴とする請求項１に記載の表示装置。
【請求項４】
前記近接検知手段により、近接物が検知され、前記位置座標検出手段で検出された座標が前記所定座標範囲内であり、前記第２の検出照度が前記第１の検出照度より低いと、前記輝度制御手段の輝度制御を停止することを特徴とする請求項１乃至請求項３の何れか一項に記載の表示装置。
【発明の詳細な説明】
【技術分野】
【０００１】
本発明は、表示装置に関する。
【背景技術】
【０００２】
近年、タッチパネルを搭載した機器が普及している。ユーザがタッチパネルを操作しようとした際、図４に示すように、照度センサに操作者の手の影が入ってしまう場合がある。この場合、実際は周囲が暗くなっていないにもかかわらず、照度センサへの入射光が遮られることによって検出光量が減少するため、あたかもトンネル内に入ったかのように周囲の明るさが低下したものと判定して、その減少した検出光量に応じた輝度調整を自動的に行ってしまう。その結果、表示画面は実際の周囲照度に応じた輝度よりも暗くなってしまい、画面が見難くなる。さらに、タッチパネル操作中に、照度センサに手の影が入ったり、抜けたりを繰り返してしまうと、輝度が明るくなったり、暗くなったりを繰り返してしまい、品位が低い。
【０００３】
そこで、特許文献１では、タッチパネル操作を検出したときに、周囲照度に応じた調光率を一定にするようにしている。
【先行技術文献】
【特許文献】
【０００４】
【特許文献１】特開２００７−７９１１３号公報
【発明の概要】
【発明が解決しようとする課題】
【０００５】
しかしながら、特許文献１では、タッチパネルを操作する前に照度センサに操作者の手の影が入ってしまった場合や、照度センサに操作者の手の影が入らない箇所をタッチパネル操作をしているときに周囲照度が変化した場合に、適正な輝度制御をすることができない。
【０００６】
そこで、本発明は、タッチパネルを搭載し、周囲照度に応じた輝度制御を行う表示装置において、適正な輝度制御を行うことのできる表示装置を提供することを目的とする。
【課題を解決するための手段】
【０００７】
上記の目的を達成するために、本発明に係る表示装置は、
表示部と、前記表示部の表示画面上に配置された操作部と、前記操作部への物体の接近を検出する近接検知手段と、前記表示部近傍に配置され、照射される外光の照度を検出する照度検出手段と、前記照度検出手段により検出された照度に応じて前記表示部の輝度を可変制御する輝度制御手段とを有し、前記近接検知手段により、近接物が検知されると、前記輝度制御手段の輝度制御を停止することを特徴とする。
【発明の効果】
【０００８】
本発明に係る表示装置によれば、タッチパネルに操作者の手が近づいたときに、周囲環境に応じた輝度制御を停止するため、適正な輝度制御をすることができる。
【図面の簡単な説明】
【０００９】
【図１】実施形態１〜４における表示装置の構成の一例を示すブロック図である。
【図２】実施形態１における、タッチパネルでの近接検知に応じたバックライト輝度制御手順を示すフローチャートである。
【図３】照度センサと液晶パネルの位置関係を示す図である。
【図４】照度センサと液晶パネルと手の影の位置関係を示す図である。
【図５】指接触時のタッチパネル出力と検出閾値の関係を示す図である。
【図６】近接物があるときのタッチパネル出力と検出閾値の関係を示す図である。
【図７】実施形態２における、タッチパネルでの近接検知に応じたバックライト輝度制御手順を示すフローチャートである。
【図８】実施形態２および４における、照度センサと液晶パネルと所定座標範囲の位置関係を示す図である。
【図９】実施形態３における、タッチパネルでの近接検知に応じたバックライト輝度制御手順を示すフローチャートである。
【図１０】実施形態４における、タッチパネルでの近接検知に応じたバックライト輝度制御手順を示すフローチャートである。
【発明を実施するための形態】
【００１０】
以下、図面を参照して本発明の実施形態を説明する。ただし、本発明は以下の実施形態に限定されるものではない。
【００１１】
［実施形態１］
図１は実施形態１〜４における表示装置の構成の一例を示すブロック図である。実施形態１〜４における表示装置は、例えば、撮像装置として動作することができる。
【００１２】
液晶パネル１０３は、再生映像や撮像映像を表示可能な表示パネルであり、液晶パネル１０３の後部にはバックライト１０４を備えたバックライト方式の表示パネルとなる。液晶制御部１０２は、制御部１０９からの制御により、ビデオ信号処理部１０１より入力される映像信号を液晶パネル１０３に表示させるよう制御することができる。液晶パネル１０３への映像表示のＯＮ／ＯＦＦを制御部１０９により制御している。また、制御部１０９からバックライトドライバ１０５に制御信号（以下、ＢＬ制御信号と呼ぶ）が入力され、バックライト１０４の点灯制御および輝度制御を行う。
【００１３】
バックライト１０４は、冷陰極蛍光ランプ（ＣＣＦＬ）や白色発光ダイオード（白色ＬＥＤ）などの白色光源を用いたものであり、バックライトドライバ１０５によって、ＢＬ制御信号に比例した明るさに制御することができる。バックライト１０５の明るさの制御方法は、用いられる光源の種類によって異なるが、例えば、ＢＬ制御信号に比例した電圧をかけたり、ＢＬ制御信号に比例した電流を流したりして明るさを制御することができる。また、バックライトがＬＥＤなどの場合は、パルス幅変調（ＰＷＭ）でデューティー比を変えて明るさを制御することも可能である。さらに、バックライト光源の明るさが非線形特性を持つ場合、バックライト値からルックアップテーブルで光源への印加電圧や印加電流等を求めてバックライトへの明るさ制御を行うことにより所望の明るさに制御する方法などもある。
【００１４】
照度センサ１０８は、周囲の照度を検出可能である。例えば、図３に示すように液晶パネル１０３の近傍に配置される。照度センサ１０８で検出された周囲照度を制御部１０９へ通知する。制御部１０９では、照度に応じたバックライト１０４の輝度を決定し、ＢＬ制御信号をバックライトドライバ１０５に送る。このようにして、周囲照度に応じた輝度制御を行うことができる。
【００１５】
タッチパネル１０６は、液晶パネル１０３に対する接触を検知可能である。実施形態１〜４では、静電容量方式のタッチパネルを使用して説明する。タッチパネル１０６と液晶パネル１０３とは一体的に構成することができる。例えば、タッチパネル１０６を光の透過率が液晶パネル１０３の表示を妨げないように構成し、液晶パネル１０３の表示面の上層に取り付ける。そして、タッチパネル１０６における入力座標と、液晶パネル１０３上の表示座標とを対応付ける。これにより、恰もユーザが液晶パネル１０３上に表示された画面を直接的に操作可能であるかのようなＧＵＩを構成することができる。
【００１６】
ＴＰコントローラ１０７では、入力点数、入力点数に対応した位置座標が算出される。そして、これが制御部１０９へ通知されることで制御部１０９ではタッチパネル１０６への以下の操作を検出することできる。タッチパネル１０６を指やペンで触れたこと（以下、タッチダウンと称する）。タッチパネル１０６を指やペンで触れている状態であること（以下、タッチオンと称する）。タッチパネル１０６を指やペンで触れたまま移動していること（以下、ムーブと称する）。
【００１７】
タッチパネル１０６へ触れていた指やペンを離したこと（以下、タッチアップと称する）。タッチパネル１０６に何も触れていない状態（以下、タッチオフと称する）。制御部１０９は通知された情報に基づいてタッチパネル１０６上にどのような操作が行なわれたかを判定する。ムーブについてはタッチパネル１０６上で移動する指やペンの移動方向についても、位置座標の変化に基づいて、タッチパネル１０６上の垂直成分・水平成分毎に判定できる。
【００１８】
またタッチパネル１０６上をタッチダウンから一定のムーブを経てタッチアップをしたとき、ストロークを描いたこととする。素早くストロークを描く操作をフリックと呼ぶ。フリックは、タッチパネル１０６上に指を触れたままある程度の距離だけ素早く動かして、そのまま離すといった操作であり、言い換えればタッチパネル１０６上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。
【００１９】
図５は指等の物体が接触したときのタッチパネル１０６のセンサ出力値を示す図である。ＴＰコントローラ１０７で閾値５０１の値は決められており、指等の物体が接触したことを検出する閾値である。
【００２０】
図６は指等の物体がタッチパネル１０６の上空にあるときのタッチパネル１０６のセンサ出力値を示す図である。ＴＰコントローラ１０７で閾値６０１の値は決められており、タッチパネル上空に近接物があることを検出する閾値である。
【００２１】
このようにしてタッチパネルに接触していない近接物を検出可能になる。ＴＰコントローラ１０７から制御部１０９へ、指等の接触物体の入力点数、それに対応した位置座標、近接物の点数、それに対応した位置座標がそれぞれ送られる。
【００２２】
なお、上述したタッチパネルでの近接検知方法はこの例に限定されるものではなく、様々な近接物検出方式を適用可能である。
【００２３】
また、タッチパネル１０６は静電容量方式として説明したが、近接物を検知可能であれば、赤外線方式、電磁誘導方式、画像認識方式、光センサ方式、表面弾性波方式等、様々な方式のタッチパネルのうちいずれの方式のものを用いてもよい。
【００２４】
次に、実施形態１における、周囲の照度に応じたバックライト輝度制御方法について説明する。図２は、実施形態１における、タッチパネルでの近接検知に応じたバックライト輝度の制御手順を示すフローチャートである。
【００２５】
本処理は、制御部１０９によって実行される。図２において、電源が投入されると、Ｓ２０１では、周囲照度に応じた輝度制御を行う。次に、Ｓ２０２では、ＴＰコントローラ１０７の情報により、制御部１０９でタッチパネル１０６の上空に近接物があるかどうかを判定する。近接物がある場合は、Ｓ２０３へ進み、近接物がない場合は、Ｓ２０１へ進み、周囲照度に応じた輝度制御を続ける。
【００２６】
タッチパネル１０６上空に近接物がある場合（Ｓ２０３）は、制御部１０９からバックライトドライバ１０５へ、近接物検知をする前と同じＢＬ制御信号を送ることで、周囲照度に応じた輝度制御を停止する。次に、Ｓ２０４では、タッチパネル１０６上空に近接物がまだあるか、もしくは、タッチパネル１０６を操作しているかどうかを判定する。近接物がある、もしくは、タッチパネル１０６操作中である場合は、Ｓ２０３へ進み、周囲照度に応じた輝度制御の停止を維持する。近接物がなく、かつ、タッチパネル１０６操作もしていない場合は、Ｓ２０５へ進む。
【００２７】
以上の処理を行った後、撮影あるいは再生が継続されているかどうかの判定を行い（Ｓ２０５）、電源が切断されて制御が終了するまで、ステップＳ２０１の処理を繰り返す。電源が切断されると、本処理を終了する。
【００２８】
このように、実施形態１における撮像装置によれば、タッチパネル上空の近接物を検知したときに、周囲照度に応じた輝度制御を停止するので、タッチパネルを操作する前に照度センサに操作者の手の影が入ってしまった場合でも、周囲照度に応じた適正な輝度制御が可能となる。
【００２９】
［実施形態２］
次に、実施形態２における、周囲照度に応じた輝度制御方法について説明する。
【００３０】
実施形態２は、タッチパネルを搭載し、周囲照度に応じて輝度制御を行う表示部において、タッチパネルで近接物を検出し、その近接物の座標が所定範囲内にあると、周囲照度に応じた輝度制御を停止することを特徴とする。
【００３１】
実施形態２の撮像装置の構成は、図１の前記実施形態１と同一であるので、同一の構成要素については同一の符号を用いることでその説明を省略する。
【００３２】
図７は実施形態２における、タッチパネルでの近接検知に応じたバックライト輝度の制御手順を示すフローチャートである。
【００３３】
本処理は、制御部１０９によって実行される。図７において、電源が投入されると、Ｓ７０１では、周囲照度に応じた輝度制御を行う。次に、Ｓ７０２では、ＴＰコントローラ１０７の情報により、制御部１０９でタッチパネル１０６の上空に近接物があるかどうかを判定する。近接物がある場合は、Ｓ７０３へ進み、近接物がない場合は、Ｓ７０１へ進み、周囲照度に応じた輝度制御を続ける。タッチパネル１０６上空に近接物がある場合（Ｓ７０３）は、Ｓ７０２で検出した近接物が、例えば図８に示す所定座標範囲８０１にあるかどうかを判定する。
【００３４】
所定座標範囲にある場合は、Ｓ７０４へ進み、ない場合は、Ｓ７０１へ進み、周囲照度に応じた輝度制御を続ける。図８に示す所定座標範囲８０１とは、タッチパネル１０６を操作する前に照度センサ１０８に操作者の手の影が入ってしまう可能性のあるタッチパネル座標範囲を示している。これは、照度センサ１０８の配置位置により変わる。
【００３５】
Ｓ７０４では、制御部１０９からバックライトドライバ１０５へ、近接物検知をする前と同じＢＬ制御信号を送ることで、周囲照度に応じた輝度制御を停止する。次に、Ｓ７０５では、タッチパネル１０６上空に近接物がまだあり、その座標が所定座標範囲８０１にあるかどうか、もしくは、タッチパネル１０６を操作しているかどうかを判定する。近接物があり所定座標範囲８０１にある、もしくは、タッチパネル１０６操作中である場合は、Ｓ７０４へ進み、周囲照度に応じた輝度制御の停止を維持する。近接物がない、もしくは、所定座標範囲８０１にない、かつ、タッチパネル１０６操作もしていない場合は、Ｓ７０６へ進む。
【００３６】
以上の処理を行った後、撮影あるいは再生が継続されているかどうかの判定を行い（Ｓ７０６）、電源が切断されて制御が終了するまで、ステップＳ７０１の処理を繰り返す。電源が切断されると、本処理を終了する。
【００３７】
このように、実施形態２における撮像装置によれば、タッチパネル上空の近接物を検知し、そのときの座標が所定範囲内にいたときに、周囲照度に応じた輝度制御を停止する。従って、タッチパネルを操作する前に照度センサに操作者の手の影が入ってしまった場合や、照度センサに操作者の手の影が入らない箇所をタッチパネル操作をしているときに周囲照度が変化した場合でも、周囲照度に応じた適正な輝度制御が可能となる。
【００３８】
［実施形態３］
次に、実施形態３における、周囲照度に応じた輝度制御方法について説明する。
【００３９】
実施形態３は、タッチパネルを搭載し、周囲照度に応じて輝度制御を行う表示部において、タッチパネルで近接物を検出し、照度センサで検出した照度が急激に下がると、周囲照度に応じた輝度制御を停止することを特徴とする。
実施形態３の撮像装置の構成は、図１の前記実施形態１と同一であるので、同一の構成要素については同一の符号を用いることでその説明を省略する。
【００４０】
図９は実施形態３における、タッチパネルでの近接検知に応じたバックライト輝度の制御手順を示すフローチャートである。
【００４１】
本処理は、制御部１０９によって実行される。図９において、電源が投入されると、Ｓ９０１では、周囲照度に応じた輝度制御を行う。次に、Ｓ９０２では、ＴＰコントローラ１０７の情報により、制御部１０９でタッチパネル１０６の上空に近接物があるかどうかを判定する。近接物がある場合は、Ｓ９０３へ進み、近接物がない場合は、Ｓ９０１へ進み、周囲照度に応じた輝度制御を続ける。タッチパネル１０６上空に近接物がある場合（Ｓ９０３）は、照度センサ１０８で検出した照度が近接物を検出する前の照度より低下したかを判定する。
【００４２】
ここでの低下分は照度センサ１０８に操作者の手の影がかかることで起こる低下分になる。検出照度が低下していない場合は、Ｓ９０１へ進み、周囲照度に応じた輝度制御を続ける。検出照度が低下した場合は、Ｓ９０４へ進む。
【００４３】
Ｓ９０４では、制御部１０９からバックライトドライバ１０５へ、近接物検知をする前と同じＢＬ制御信号を送ることで、周囲照度に応じた輝度制御を停止する。
【００４４】
次に、Ｓ９０５では、タッチパネル１０６上空に近接物がまだあり、照度センサ１０８の出力照度は低下したかどうか、もしくは、タッチパネル１０６を操作しているかどうかを判定する。近接物があり検出照度が低下したまま、もしくは、タッチパネル１０６操作中である場合は、Ｓ９０４へ進み、周囲照度に応じた輝度制御の停止を維持する。近接物がない、もしくは、検出照度が低下していない、かつ、タッチパネル１０６操作もしていない場合は、Ｓ９０６へ進む。
【００４５】
以上の処理を行った後、撮影あるいは再生が継続されているかどうかの判定を行い（Ｓ９０６）、電源が切断されて制御が終了するまで、ステップＳ９０１の処理を繰り返す。電源が切断されると、本処理を終了する。
【００４６】
このように、実施形態３における撮像装置によれば、タッチパネル上空の近接物を検知し、そのときの照度センサの検出照度が低下していたときに、周囲照度に応じた輝度制御を停止する。従って、タッチパネルを操作する前に照度センサに操作者の手の影が入ってしまった場合や、照度センサに操作者の手の影が入らない箇所をタッチパネル操作をしているときに周囲照度が変化した場合でも、周囲照度に応じた適正な輝度制御が可能となる。
【００４７】
［実施形態４］
次に、実施形態４における、周囲照度に応じた輝度制御方法について説明する。
【００４８】
実施形態４は、タッチパネルを搭載し、周囲照度に応じて輝度制御を行う表示部において、タッチパネルで近接物を検出し、その近接物の座標が所定範囲内にあり、照度センサで検出した照度が急激に下がると、周囲照度に応じた輝度制御を停止することを特徴とする。
【００４９】
実施形態４の撮像装置の構成は、図１の前記実施形態１と同一であるので、同一の構成要素については同一の符号を用いることでその説明を省略する。
【００５０】
図１０は実施形態４における、タッチパネルでの近接検知に応じたバックライト輝度の制御手順を示すフローチャートである。
【００５１】
本処理は、制御部１０９によって実行される。図１０において、電源が投入されると、Ｓ１００１では、周囲照度に応じた輝度制御を行う。次に、Ｓ１００２では、ＴＰコントローラ１０７の情報により、制御部１０９でタッチパネル１０６の上空に近接物があるかどうかを判定する。近接物がある場合は、Ｓ１００３へ進み、近接物がない場合は、Ｓ１００１へ進み、周囲照度に応じた輝度制御を続ける。タッチパネル１０６上空に近接物がある場合（Ｓ１００３）は、Ｓ１００２で検出した近接物が、例えば図８に示す所定座標範囲８０１にあるかどうかを判定する。
【００５２】
所定座標範囲にある場合は、Ｓ１００４へ進み、ない場合は、Ｓ１００１へ進み、周囲照度に応じた輝度制御を続ける。図８に示す所定座標範囲８０１とは、タッチパネル１０６を操作する前に照度センサ１０８に操作者の手の影が入ってしまう可能性のあるタッチパネル座標範囲を示している。これは、照度センサ１０８の配置位置により変わる。
【００５３】
Ｓ１００４は、照度センサ１０８で検出した照度が近接物を検出する前の照度より低下したかを判定する。ここでの低下分は照度センサ１０８に操作者の手の影がかかることで起こる低下分になる。検出照度が低下していない場合は、Ｓ１００１へ進み、周囲照度に応じた輝度制御を続ける。検出照度が低下した場合は、Ｓ１００５へ進む。Ｓ１００５では、制御部１０９からバックライトドライバ１０５へ、近接物検知をする前と同じＢＬ制御信号を送ることで、周囲照度に応じた輝度制御を停止する。
【００５４】
次に、Ｓ１００６では、タッチパネル１０６上空に近接物がまだあり、その座標が所定座標範囲８０１にあるかどうか、照度センサ１０８の出力照度は低下したかどうか、もしくは、タッチパネル１０６を操作しているかどうかを判定する。近接物がありその座標が所定座標範囲８０１にあり、検出照度が低下したまま、もしくは、タッチパネル１０６操作中である場合は、Ｓ１００５へ進み、周囲照度に応じた輝度制御の停止を維持する。近接物がない、もしくは、その座標が所定座標範囲８０１にない、もしくは、検出照度が低下していない、かつ、タッチパネル１０６操作もしていない場合は、Ｓ１００７へ進む。
【００５５】
以上の処理を行った後、撮影あるいは再生が継続されているかどうかの判定を行い（Ｓ１００７）、電源が切断されて制御が終了するまで、ステップＳ１００１の処理を繰り返す。電源が切断されると、本処理を終了する。
【００５６】
このように、実施形態４における撮像装置によれば、タッチパネル上空の近接物を検知し、そのときの座標が所定範囲内にいて、さらに、照度センサの検出照度が低下していたときに、周囲照度に応じた輝度制御を停止する。従って、タッチパネルを操作する前に照度センサに操作者の手の影が入ってしまった場合や、照度センサに操作者の手の影が入らない箇所をタッチパネル操作をしているときに周囲照度が変化した場合でも、周囲照度に応じた適正な輝度制御が可能となる。
【００５７】
なお、実施形態１〜４においては、周囲照度に応じた輝度制御停止を、近接物検知前と同じＢＬ制御信号を送るようにしているが、実施形態１〜４はこれに限定されるものではない。例えば、照度センサの検出を停止したり、照度センサの検出結果出力を止めるようにしてもよい。
【００５８】
また、実施形態１〜４においては、表示パネルが液晶パネルである場合を説明したが、実施形態１〜４はこれに限定されるものではない。実施形態１〜４における表示装置は、輝度を可変制御可能な表示装置であれば、どのような表示パネルを有するものであってもよい。例えば、実施形態１〜４における表示装置の表示パネルは、有機ＥＬパネル、プラズマディスプレイまたはブラウン管を有する表示パネルであってもよい。
【００５９】
また、実施形態１〜４においては、表示装置が撮像装置として動作する場合を説明したが、実施形態１〜４はこれに限定されるものではない。周囲の照度に応じた輝度制御可能な表示装置であれば、実施形態１〜４における表示装置は、どのような表示装置であってもよい。例えば、実施形態１〜４における表示装置は、パーソナルコンピュータ、ＰＤＡ、携帯電話端末や携帯型の画像ビューワ、ディスプレイを備えるプリンタ装置、デジタルフォトフレーム、音楽プレーヤー、ゲーム機、または、電子ブックリーダーとして動作するものであってもよい、
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６０】
１０２  液晶制御部、１０３  液晶パネル、１０４  バックライト、
１０５  バックライトドライバ、１０６  タッチパネル、１０７  ＴＰコントローラ、
１０８  照度センサ、１０９  制御部
【図１】
2017083494.tif 000003
【図２】
2017083494.tif 000004
【図３】
2017083494.tif 000005
【図４】
2017083494.tif 000006
【図５】
2017083494.tif 000007
【図６】
2017083494.tif 000008
【図７】
2017083494.tif 000009
【図８】
2017083494.tif 000010
【図９】
2017083494.tif 000011
【図１０】
2017083494.tif 000012